(57)【要約】      （修正有）【課題】差込み片部と、差込み片部から連設された蓋部とを有し、蓋部に摘み片が設けられ、差込み片部を差し込むための被差込み部が設けられた包装箱において、摘み片を容易に蓋部に対して外側に回動させた状態とすることができ、摘み片をつかんで差込み片部を被差込み部から引き出す際に、差込み片部を容易に被差込み部から引き出すことができる包装箱を提供する。【解決手段】フラップ部３２における正面部側の端部には、差込み片部５０を差し込むための被差込み部Ｋ１２’が設けられ、被差込み部Ｋ１２’の左右方向の長さＬＫ１２が、正面部の左右方向の長さＬ１２よりも短く形成され、蓋部４０には、折れ線Ｃ５０から連設された一対の切目線Ｋ４１、Ｋ４２と、開口部４６が形成され、開口部４６と一対の切目線Ｋ４１、Ｋ４２と折れ線Ｃ５０により囲まれた摘み片４４が形成されている。【選択図】図３
0003199140.tif 000002
【実用新案登録請求の範囲】
【請求項１】
シート状のブランクにより形成された包装箱であって、
底面部（２０）と、
底面部の各辺から設けられた側面部で、正面部（１２）と、右側面部（１４）と、左側面部（１６）と、背面部（１８）とを有する側面部（１０）と、
正面部の上辺から折れ線を介して連設されたフラップ部（３２）と、
背面部の上辺から折れ線を介して連設された蓋部（４０）と、
蓋部の背面部とは反対側の辺部から折れ線を介して連設された差込み片部（５０）と、
を有し、
差込み片部の左右方向の長さ（Ｌ５０）が、背面部の左右方向の長さ（Ｌ１８）よりも短く形成され、
フラップ部における正面部側の端部には、差込み片部を差し込むための被差込み部（Ｋ１２）が設けられ、被差込み部の左右方向の長さ（ＬＫ１２）が、正面部の左右方向の長さ（Ｌ１２）よりも短く形成され、
蓋部には、蓋部と差込み片部間の折れ線である蓋部・差込み片部間折れ線（Ｃ５０）から連設された一対の切目線（Ｋ４１、Ｋ４２）と、該一対の切目線における蓋部・差込み片部間折れ線側の端部とは反対側の端部間に形成された開口部（４６）が形成され、該開口部と一対の切目線と蓋部・差込み片部間折れ線により囲まれた摘み片（４４）が形成され、
フラップ部を蓋部の下側にして差込み片部を被差込み部に差し込んだ状態である蓋部の閉状態から、摘み片の開口部側の辺部に指をひっかけて摘み片を蓋部の外側に回動させることにより一対の切目線が破断して摘み片が蓋部の外側に回動した状態となり、摘み片を上方に引き上げることにより差込み片部が被差込み部から引き出されることを特徴とする包装箱。
【請求項２】
蓋部の閉状態において、開口部はフラップ部により内側からカバーされていることを特徴とする請求項１に記載の包装箱。
【請求項３】
シート状のブランクにより形成された包装箱であって、
底面部（１２０）と、
底面部の各辺から設けられた側面部で、正面部（１１２）と、右側面部（１１４）と、左側面部（１１６）と、背面部（１１８）とを有する側面部（１１０）と、
正面部の上辺から折れ線を介して連設された第１蓋部（１３２）と、
背面部の上辺から折れ線を介して連設された第２蓋部で、背面部側である基端側から先端までの長さ（Ｌ１４０）が正面部と背面部間の長さよりも短く形成された第２蓋部（１４０）と、
第２蓋部の背面部とは反対側の辺部から折れ線を介して連設された差込み片部（１５０）と、
を有し、
差込み片部の左右方向の長さ（Ｌ１５０）が、背面部の左右方向の長さ（Ｌ１１８）よりも短く形成され、
第１蓋部には、差込み片部を差し込むための被差込み部（Ｋ１３２）が設けられ、被差込み部の左右方向の長さ（ＬＫ１３２）が、正面部の左右方向の長さ（Ｌ１１２）よりも短く形成され、
第２蓋部には、第２蓋部と差込み片部間の折れ線である蓋部・差込み片部間折れ線（Ｃ１５０）から連設された一対の切目線（Ｋ１４１、Ｋ１４２）と、該一対の切目線における蓋部・差込み片部間折れ線側の端部とは反対側の端部間に形成された開口部（１４６）が形成され、該開口部と一対の切目線と蓋部・差込み片部間折れ線により囲まれた摘み片（１４４）が形成され、
第１蓋部を第２蓋部の下側にして差込み片部を被差込み部に差し込んだ状態である第２蓋部の閉状態から、摘み片の開口部側の辺部に指をひっかけて摘み片を第２蓋部の外側に回動させることにより一対の切目線が破断して摘み片が第２蓋部の外側に回動した状態となり、摘み片を上方に引き上げることにより差込み片部が被差込み部から引き出されることを特徴とする包装箱。
【請求項４】
第２蓋部の閉状態において、開口部は第１蓋部により内側からカバーされていることを特徴とする請求項３に記載の包装箱。
【請求項５】
シート状のブランクにより形成された包装箱であって、
底面部（２２０）と、
底面部の各辺から設けられた側面部で、正面部（２１２）と、右側面部（２１４）と、左側面部（２１６）と、背面部（２１８）とを有する側面部（２１０）と、
背面部の上辺から折れ線を介して連設された蓋部で、背面部側である基端側から先端までの長さ（Ｌ２４４）が正面部と背面部間の長さよりも長く形成された蓋部（２４０）と、
蓋部の背面部とは反対側の辺部から折れ線を介して連設された差込み片部（１５０）と、
を有し、
差込み片部の左右方向の長さ（Ｌ２５０）が、背面部の左右方向の長さ（Ｌ２１８）よりも短く形成され、
正面部には、差込み片部を差し込むための被差込み部（Ｋ２１２）が設けられ、被差込み部の左右方向の長さ（ＬＫ２１２）が、正面部の左右方向の長さ（Ｌ２１２）よりも短く形成され、
蓋部には、蓋部と差込み片部間の折れ線である蓋部・差込み片部間折れ線（Ｃ２５０）から連設された一対の切目線（Ｋ２４１、Ｋ２４２）と、該一対の切目線における蓋部・差込み片部間折れ線側の端部とは反対側の端部間に形成された開口部（２４６）が形成され、該開口部と一対の切目線と蓋部・差込み片部間折れ線により囲まれた摘み片（２４４）が形成され、蓋部と背面部間の折れ線と該開口部の間の位置には、蓋部と背面部間の折れ線と平行な折れ線である蓋部折曲げ用折れ線（Ｃ２４２）が形成され、
蓋部における蓋部折曲げ用折れ線よりも背面部側の領域を側面部の上端に配置するとともに、蓋部を蓋部折曲げ用折れ線を介して折り曲げて差込み片部を被差込み部に差し込んだ状態である蓋部の閉状態から、摘み片の開口部側の辺部に指をひっかけて摘み片を蓋部の外側に回動させることにより一対の切目線が破断して摘み片が蓋部の外側に回動した状態となり、摘み片を上方に引き上げることにより差込み片部が被差込み部から引き出されることを特徴とする包装箱。
【請求項６】
蓋部の閉状態において、開口部は正面部により内側からカバーされていることを特徴とする請求項５に記載の包装箱。
【請求項７】
側面部を構成する正面部と右側面部と左側面部と背面部とは、底面部に対して略直角に立設していることを特徴とする請求項１又は２又は３又は４又は５又は６に記載の包装箱。
【請求項８】
側面部を構成する正面部と右側面部と左側面部と背面部とは、底面部に対して鈍角をなし、正面部と右側面部と左側面部と背面部における両側の側辺間の長さが上方にいくほど大きくなるように形成されていることを特徴とする請求項１又は２又は３又は４又は５又は６に記載の包装箱。
【考案の詳細な説明】
【技術分野】
【０００１】
本考案は、包装箱に関するものであり、特に、蓋部の開動作を容易とする包装箱に関するものである。
【背景技術】
【０００２】
従来より、包装箱において、蓋部の開動作を容易とするものとして、特許文献１に記載の名刺入れ容器が存在する。
【０００３】
すなわち、特許文献１に記載の名刺入れ容器１においては、蓋片３の先端に差込片２が連設され、蓋片３には、摘み片１１が半円形の切取線を介して形成されている。この名刺入れ容器１においては、差込片２が正面片８の内側に差し込まれた状態で、摘み片１１を摘むことにより蓋片３を容易に開くことができる。
【先行技術文献】
【特許文献】
【０００４】
【特許文献１】特開２００２−５２８７９号公報
【考案の概要】
【考案が解決しようとする課題】
【０００５】
しかし、特許文献１に記載の名刺入れ容器１においては、摘み片１１の周囲の切取線を破断した後に摘み片１１を引き上げた状態（つまり、外側に回動させた状態）とする必要があるが、切取線を破断するには、摘み片１１を蓋片３に対して押し込むことになるが、摘み片１１を蓋片３に対して押し込んだ状態から摘み片１１を蓋片３に対して引き上げた状態とするのは容易ではなく、摘み片１１と蓋片３間に指や爪を挟むおそれがある等摘み片１１を蓋片３に対して引き上げた状態とするのが困難であるという問題がある。
【０００６】
また、特許文献１に記載の名刺入れ容器１では、差込片２が蓋片３や背面片４の左右方向の全長にわたって形成されているので、摘み片１１をつかんで引き上げることにより差込片２を正面片８の内側から引き上げる際に、差込片２が左右方向に対して傾斜せずに左右バランスよく引き上げるのが困難であるという問題がある。
【０００７】
そこで、本考案は、差込み片部と、差込み片部から連設された蓋部とを有し、蓋部に摘み片が設けられ、差込み片部を差し込むための被差込み部が設けられた包装箱において、摘み片を容易に蓋部に対して外側に回動させた状態とすることができ、摘み片をつかんで差込み片部を被差込み部から引き出す際に、差込み片部を容易に被差込み部から引き出すことができるものを提供することを目的とするものである。
【課題を解決するための手段】
【０００８】
本考案は上記問題点を解決するために創作されたものであって、第１には、シート状のブランクにより形成された包装箱であって、底面部（２０）と、底面部の各辺から立設し底面部に対して略直角をなす側面部で、正面部（１２）と、右側面部（１４）と、左側面部（１６）と、背面部（１８）とを有する側面部（１０）と、正面部の上辺から折れ線を介して連設されたフラップ部（３２）と、背面部の上辺から折れ線を介して連設された蓋部（４０）と、蓋部の背面部とは反対側の辺部から折れ線を介して連設された差込み片部（５０）と、を有し、差込み片部の左右方向の長さ（Ｌ５０）が、背面部の左右方向の長さ（Ｌ１８）よりも短く形成され、フラップ部における正面部側の端部には、差込み片部を差し込むための被差込み部（Ｋ１２）が設けられ、被差込み部の左右方向の長さ（ＬＫ１２）が、正面部の左右方向の長さ（Ｌ１２）よりも短く形成され、蓋部には、蓋部と差込み片部間の折れ線である蓋部・差込み片部間折れ線（Ｃ５０）から連設された一対の切目線（Ｋ４１、Ｋ４２）と、該一対の切目線における蓋部・差込み片部間折れ線側の端部とは反対側の端部間に形成された開口部（４６）が形成され、該開口部と一対の切目線と蓋部・差込み片部間折れ線により囲まれた摘み片（４４）が形成され、フラップ部を蓋部の下側にして差込み片部を被差込み部に差し込んだ状態である蓋部の閉状態から、摘み片の開口部側の辺部に指をひっかけて摘み片を蓋部の外側に回動させることにより一対の切目線が破断して摘み片が蓋部の外側に回動した状態となり、摘み片を上方に引き上げることにより差込み片部が被差込み部から引き出されることを特徴とする。
【０００９】
第１の構成の包装箱においては、蓋部に開口部が設けられているので、摘み片の開口部側の辺部に指をひっかけて摘み片を容易に外側に回動した状態とすることができ、また、差込み片部の左右方向の長さが、背面部の左右方向の長さよりも短く形成されているので、差込み片部を被差込み部から引き出す際に、差込み片部が左右方向に対して傾斜しにくく左右バランスよく引き上げることができ、蓋部の開動作を容易に行なうことができる。
【００１０】
なお、上記第１の構成において、「差込み片部の左右方向の長さ（Ｌ５０）が、背面部の左右方向の長さ（Ｌ１８）よりも短く形成され、」の箇所を「差込み片部の左右方向の長さ（Ｌ５０）が、背面部の左右方向の長さ（Ｌ１８）よりも短く形成されるとともに、蓋部の左右方向の長さ（Ｌ４０）よりも短く形成され、」としてもよい。
【００１１】
また、第２には、上記第１の構成において、蓋部の閉状態において、開口部はフラップ部により内側からカバーされていることを特徴とする。よって、蓋部の閉状態において、開口部から異物が包装箱内に入り込むことがなく、また、被収納物が開口部から包装箱の外部に出ることがない。
【００１２】
また、第３には、シート状のブランクにより形成された包装箱であって、底面部（１２０）と、底面部の各辺から立設し底面部に対して略直角をなす側面部で、正面部（１１２）と、右側面部（１１４）と、左側面部（１１６）と、背面部（１１８）とを有する側面部（１１０）と、正面部の上辺から折れ線を介して連設された第１蓋部（１３２）と、背面部の上辺から折れ線を介して連設された第２蓋部で、背面部側である基端側から先端までの長さ（Ｌ１４０）が正面部と背面部間の長さよりも短く形成された第２蓋部（１４０）と、第２蓋部の背面部とは反対側の辺部から折れ線を介して連設された差込み片部（１５０）と、を有し、差込み片部の左右方向の長さ（Ｌ１５０）が、背面部の左右方向の長さ（Ｌ１１８）よりも短く形成され、第１蓋部には、差込み片部を差し込むための被差込み部（Ｋ１３２）が設けられ、被差込み部の左右方向の長さ（ＬＫ１３２）が、正面部の左右方向の長さ（Ｌ１１２）よりも短く形成され、第２蓋部には、第２蓋部と差込み片部間の折れ線である蓋部・差込み片部間折れ線（Ｃ１５０）から連設された一対の切目線（Ｋ１４１、Ｋ１４２）と、該一対の切目線における蓋部・差込み片部間折れ線側の端部とは反対側の端部間に形成された開口部（１４６）が形成され、該開口部と一対の切目線と蓋部・差込み片部間折れ線により囲まれた摘み片（１４４）が形成され、第１蓋部を第２蓋部の下側にして差込み片部を被差込み部に差し込んだ状態である第２蓋部の閉状態から、摘み片の開口部側の辺部に指をひっかけて摘み片を第２蓋部の外側に回動させることにより一対の切目線が破断して摘み片が第２蓋部の外側に回動した状態となり、摘み片を上方に引き上げることにより差込み片部が被差込み部から引き出されることを特徴とする。
【００１３】
第３の構成の包装箱においては、蓋部に開口部が設けられているので、摘み片の開口部側の辺部に指をひっかけて摘み片を容易に外側に回動した状態とすることができ、また、差込み片部の左右方向の長さが、背面部の左右方向の長さよりも短く形成されているので、差込み片部を被差込み部から引き出す際に、差込み片部が左右方向に対して傾斜しにくく左右バランスよく引き上げることができ、蓋部の開動作を容易に行なうことができる。
【００１４】
なお、上記第３の構成において、「差込み片部の左右方向の長さ（Ｌ１５０）が、背面部の左右方向の長さ（Ｌ１１８）よりも短く形成され、」の箇所を「差込み片部の左右方向の長さ（Ｌ１５０）が、背面部の左右方向の長さ（Ｌ１１８）よりも短く形成されるとともに、第２蓋部の左右方向の長さ（Ｌ１４０）よりも短く形成され、」としてもよい。
【００１５】
また、第４には、上記第３の構成において、第２蓋部の閉状態において、開口部は第１蓋部により内側からカバーされていることを特徴とする。よって、蓋部の閉状態において、開口部から異物が包装箱内に入り込むことがなく、また、被収納物が開口部から包装箱の外部に出ることがない。
【００１６】
また、第５には、シート状のブランクにより形成された包装箱であって、底面部（２２０）と、底面部の各辺から立設し底面部に対して略直角をなす側面部で、正面部（２１２）と、右側面部（２１４）と、左側面部（２１６）と、背面部（２１８）とを有する側面部（２１０）と、背面部の上辺から折れ線を介して連設された蓋部で、背面部側である基端側から先端までの長さ（Ｌ２４４）が正面部と背面部間の長さよりも長く形成された蓋部（２４０）と、蓋部の背面部とは反対側の辺部から折れ線を介して連設された差込み片部（１５０）と、を有し、差込み片部の左右方向の長さ（Ｌ２５０）が、背面部の左右方向の長さ（Ｌ２１８）よりも短く形成され、正面部には、差込み片部を差し込むための被差込み部（Ｋ２１２）が設けられ、被差込み部の左右方向の長さ（ＬＫ２１２）が、正面部の左右方向の長さ（Ｌ２１２）よりも短く形成され、蓋部には、蓋部と差込み片部間の折れ線である蓋部・差込み片部間折れ線（Ｃ２５０）から連設された一対の切目線（Ｋ２４１、Ｋ２４２）と、該一対の切目線における蓋部・差込み片部間折れ線側の端部とは反対側の端部間に形成された開口部（２４６）が形成され、該開口部と一対の切目線と蓋部・差込み片部間折れ線により囲まれた摘み片（２４４）が形成され、蓋部と背面部間の折れ線と該開口部の間の位置には、蓋部と背面部間の折れ線と平行な折れ線である蓋部折曲げ用折れ線（Ｃ２４２）が形成され、蓋部における蓋部折曲げ用折れ線よりも背面部側の領域を側面部の上端に配置するとともに、蓋部を蓋部折曲げ用折れ線を介して折り曲げて差込み片部を被差込み部に差し込んだ状態である蓋部の閉状態から、摘み片の開口部側の辺部に指をひっかけて摘み片を蓋部の外側に回動させることにより一対の切目線が破断して摘み片が蓋部の外側に回動した状態となり、摘み片を上方に引き上げることにより差込み片部が被差込み部から引き出されることを特徴とする。
【００１７】
第５の構成の包装箱においては、蓋部に開口部が設けられているので、摘み片の開口部側の辺部に指をひっかけて摘み片を容易に外側に回動した状態とすることができ、また、差込み片部の左右方向の長さが、背面部の左右方向の長さよりも短く形成されているので、差込み片部を被差込み部から引き出す際に、差込み片部が左右方向に対して傾斜しにくく左右バランスよく引き上げることができ、蓋部の開動作を容易に行なうことができる。
【００１８】
なお、上記第５の構成において、「差込み片部の左右方向の長さ（Ｌ２５０）が、背面部の左右方向の長さ（Ｌ２１８）よりも短く形成され、」の箇所を「差込み片部の左右方向の長さ（Ｌ２５０）が、背面部の左右方向の長さ（Ｌ２１８）よりも短く形成されるとともに、蓋部の左右方向の長さ（Ｌ２４０）よりも短く形成され、」としてもよい。
【００１９】
また、第６には、上記第５の構成において、蓋部の閉状態において、開口部は正面部により内側からカバーされていることを特徴とする。よって、蓋部の閉状態において、開口部から異物が包装箱内に入り込むことがなく、また、被収納物が開口部から包装箱の外部に出ることがない。
【００２０】
また、第７には、上記第１から第６までのいずれかの構成において、側面部を構成する正面部と右側面部と左側面部と背面部とは、底面部に対して略直角に立設していることを特徴とする。
【００２１】
また、第８には、上記第１から第６までのいずれかの構成において、側面部を構成する正面部と右側面部と左側面部と背面部とは、底面部に対して鈍角をなし、正面部と右側面部と左側面部と背面部における両側の側辺間の長さが上方にいくほど大きくなるように形成されていることを特徴とする。
【考案の効果】
【００２２】
本考案に基づく包装箱によれば、蓋部に開口部が設けられているので、摘み片の開口部側の辺部に指をひっかけて摘み片を容易に外側に回動した状態とすることができ、また、差込み片部の左右方向の長さ、背面部の左右方向の長さよりも短く形成されているので、差込み片部を被差込み部から引き出す際に、差込み片部が左右方向に対して傾斜しにくく左右バランスよく引き上げることができ、蓋部の開動作を容易に行なうことができる。
【図面の簡単な説明】
【００２３】
【図１】蓋部が開状態の場合の包装箱の斜視図である（実施例１）。
【図２】蓋部が閉状態の場合の包装箱の斜視図である（実施例１）。
【図３】包装箱の展開図である（実施例１）。
【図４】包装箱の使用方法を示す斜視図である（実施例１）。
【図５】包装箱の使用方法を示す斜視図である（実施例１）。
【図６】蓋部が開状態の場合の包装箱の斜視図である（実施例２）。
【図７】蓋部が閉状態の場合の包装箱の斜視図である（実施例２）。
【図８】包装箱の展開図である（実施例２）。
【図９】包装箱の使用方法を示す斜視図である（実施例２）。
【図１０】包装箱の使用方法を示す斜視図である（実施例２）。
【図１１】蓋部が開状態の場合の包装箱の斜視図である（実施例３）。
【図１２】蓋部が閉状態の場合の包装箱の斜視図である（実施例３）。
【図１３】包装箱の展開図である（実施例３）。
【図１４】包装箱の使用方法を示す斜視図である（実施例３）。
【図１５】包装箱の使用方法を示す斜視図である（実施例３）。
【考案を実施するための形態】
【００２４】
本考案においては、差込み片部と、差込み片部から連設された蓋部とを有し、蓋部に摘み片が設けられ、差込み片部を差し込むための被差込み部が設けられた包装箱において、摘み片を容易に蓋部に対して外側に回動させた状態とすることができ、摘み片をつかんで差込み片部を被差込み部から引き出す際に、差込み片部を容易に被差込み部から引き出すことができるものを提供するという目的を以下のようにして実現した。
【実施例１】
【００２５】
本考案の実施例１に基づく包装箱５は、図１〜図３に示すように構成され、スリーブ状部（側面部）１０と、底面部２０と、フラップ部３２、３４、３６と、蓋部４０と、差込み片部５０とを有している。包装箱５において、蓋部４０と差込み片部５０以外の構成が、包装箱本体７となる。
【００２６】
包装箱５は、１枚のシート状のブランク（具体的には段ボール（特に、両面段ボール）であり、厚紙等でもよい）により形成されている。なお、両面段ボールにおける中芯の段の方向は、図３に示す円内に示す方向（スリーブ状部１０における隣接する各部間の折れ線と平行な方向（例えば、正面部１２と右側面部１４間の折れ線の方向））である（実施例２、実施例３においても同じ）。
【００２７】
ここで、スリーブ状部１０は、正面部１２と、正面部１２の右側面側の辺部から折れ線を介して連設された右側面部１４と、正面部１２の左側面側の辺部から折れ線を介して連設された左側面部１６と、左側面部１６の背面側の辺部から折れ線を介して連設された背面部１８と、背面部１８の右側面側の辺部から折れ線を介して連設された糊代部１９とを有している。
【００２８】
正面部１２は、方形状（具体的には、長方形状）の正面部本体１２−１と、正面部本体１２−１の上辺から連設された横長台形形状の突状部１２−２とを有している。突状部１２−２は、包装箱５の展開状態において、正面部１２とフラップ部３２間に切込みＫ１２’を形成することにより形成され、差込み片部５０を被差込み部Ｋ１２（切込みＫ１２’により形成された被差込み部Ｋ１２）に差し込む際のガイド部として機能する。切込みＫ１２’は、左右方向の直線状の切込みＫ１２’ａと、該切込みの左右両側の端部から外側に向けて傾斜した切込みＫ１２’ｂ、Ｋ１２’ｃとを有している。
【００２９】
右側面部１４と左側面部１６は、方形状を呈し、右側面部１４と左側面部１６とは左右対称に形成されている。また、背面部１８は、方形状（具体的には、長方形状）を呈している。また、糊代部１９は、略台形形状を呈し、糊代部１９の上側の辺部と下側の辺部は、背面部１８と糊代部１９間の折れ線に対して鋭角を呈している。糊代部１９は、右側面部１４の背面側の端部領域の内側の面に接着されている。包装箱本体７を組み立てた状態においては、正面部１２と背面部１８とが互いに平行で、右側面部１４と左側面部１６とが互いに平行で、正面部１２と右側面部１４と左側面部１６と背面部１８における互いに隣接する各部は直角となり、スリーブ状部１０を構成する各部（正面部１２と右側面部１４と左側面部１６と背面部１８と糊代部１９）は、底面部２０に対して直角（略直角としてもよい）となる。
【００３０】
また、底面部２０は、片部２２と、片部２４と、片部２６と、片部２８とを有している。
【００３１】
片部２２は、正面部１２の下端から折れ線を介して連設され、方形状の先端側において略方形状の切欠部を形成した形状を呈している。また、片部２４は、右側面部１４の下端から折れ線を介して連設され、台形形状（両側の側辺のうち一方の側辺が右側面部１４の下辺に対して直角の台形形状）の先端に略方形状を連設した形状を呈している。また、片部２６は、左側面部１６の下端から折れ線を介して連設され、片部２４に対して左右対称（包装箱５の展開状態において線対称）の形状を呈している。また、片部２８は、背面部１８の下端から折れ線を介して連設され、台形形状（両側の側辺が背面部１８の下辺に対して傾斜した台形形状）の先端に略方形状を連設した形状を呈している。このような底面部２０は、Ｂ式底組みタイプと呼ばれていて、アメリカンロック又は地獄底とも呼ばれている。
【００３２】
また、フラップ部３２は、正面部１２（特に、正面部本体１２−１）の上辺から折れ線Ｃ３２を介して連設され、略台形形状を呈し、正面部１２との折れ線Ｃ３２に対する傾斜辺３２ａ、３２ｂ（傾斜辺部３２ａは、正面部１２の右側面側の端部から形成され、傾斜辺部３２ｂは、正面部１２の左側面側の端部から形成されている）は、正面部１２との折れ線に対して４５度（略４５度としてもよい）の角度を呈し、傾斜辺部３２ａの端部と傾斜辺部３２ｂの端部間を結ぶ辺部３２ｃは、折れ線Ｃ３２と平行（略平行としてもよい）となっている。フラップ部３２を正面部１２に対して折り曲げた状態（特に、直角に折り曲げた状態）では、フラップ部３２の正面部１２側の端部領域には、切込みＫ１２’により形成された被差込み部Ｋ１２が設けられている。被差込み部Ｋ１２は、左右方向に横長の開口部となっている。なお、切込みＫ１２’を単なる左右方向の直線状の切込みとして、被差込み部Ｋ１２を開口部ではなく切込みからなる構成としてもよい。被差込み部Ｋ１２の左右方向の長さＬＫ１２は、正面部１２の左右方向の長さＬ１２よりも短く形成されている。
【００３３】
また、フラップ部３４は、右側面部１４の上辺から折れ線Ｃ３４を介して連設され、右側面部１４の正面側の端部から形成された傾斜辺部３４ａと、右側面部１４の背面側の端部から連設された辺部３４ｂと、傾斜辺部３４ａの端部と辺部３４ｂの端部間を結ぶ辺部３４ｃとを有している。辺部３４ｃは、折れ線Ｃ３４と平行（略平行としてもよい）となっている。傾斜辺部３４ａは、折れ線Ｃ３４に対して４５度（略４５度としてもよい）の角度を呈し、辺部３４ｂは、折れ線Ｃ３４に対して直角（略直角としてもよい）を呈している。
【００３４】
また、フラップ部３６は、左側面部１６の上辺から折れ線Ｃ３６を介して連設され、フラップ部３４と左右対称に形成されている。つまり、フラップ部３６は、左側面部１６の正面側の端部から形成された傾斜辺部３６ａと、左側面部１６の背面側の端部から連設された辺部３６ｂと、傾斜辺部３６ａの端部と辺部３６ｂの端部間を結ぶ辺部３６ｃとを有している。辺部３６ｃは、折れ線Ｃ３６と平行（略平行としてもよい）となっている。傾斜辺部３６ａは、折れ線Ｃ３６に対して４５度（略４５度としてもよい）の角度を呈し、辺部３６ｂは、折れ線Ｃ３６に対して直角（略直角としてもよい）を呈している。
【００３５】
また、蓋部４０は、背面部１８の上辺から折れ線Ｃ４０を介して連設され、全体に方形状（具体的には、長方形状）を呈している。
【００３６】
蓋部４０は、蓋部本体４２と、摘み片４４とを有している。すなわち、蓋部４０には、蓋部４０と差込み片部５０間の折れ線Ｃ５０の位置から形成された切目線Ｋ４１、Ｋ４２と、切目線Ｋ４１と切目線Ｋ４２間に形成された開口部４６とが形成され、折れ線Ｃ５０と切目線Ｋ４１、Ｋ４２と開口部４６とで囲まれた領域が摘み片４４となり、蓋部４０における摘み片４４以外の領域が蓋部本体４２となる。ここで、切目線Ｋ４１、Ｋ４２はミシン目状に形成され、切目線Ｋ４１、Ｋ４２はともに折れ線Ｃ５０に対して傾斜した直線状（略直線状としてもよい）に形成され、切目線Ｋ４１は切目線Ｋ４２側に傾斜し、切目線Ｋ４２は切目線Ｋ４１側に傾斜して形成されている（つまり、切目線Ｋ４１と折れ線Ｃ５０との角度（切目線Ｋ４２側の角度）は鋭角に形成され、切目線Ｋ４２と折れ線Ｃ５０との角度（切目線Ｋ４１側の角度）は鋭角に形成されている）。つまり、切目線Ｋ４１と切目線Ｋ４２とは、折れ線Ｃ５０から離れるに従い、互いの距離が短くなるように形成されている。また、切目線Ｋ４１、Ｋ４２の開口部４６側の端部は、開口部４６の辺部４６ａの両側の端部となだらかにつながるように、略円弧状に形成されている。
【００３７】
また、開口部４６は、切目線Ｋ４１の端部（折れ線Ｃ５０側の端部と反対側の端部）と切目線Ｋ４２の端部（折れ線Ｃ５０側の端部と反対側の端部）間に形成され、略レンズ状の形状を呈している。つまり、開口部４６は、円弧状の辺部４６ａと、辺部４６ａと線対称（左右方向の中心線を介して線対称）に形成された円弧状の辺部４６ｂとを有した形状を呈している。この開口部４６の大きさは、摘み片４４における開口部４６の辺部４６ａの位置に指をひっかけることができる大きさに形成されている。開口部４６の辺部４６ａは、摘み片４４の背面側の辺部４４ａと一致する。
【００３８】
なお、蓋部４０と差込み片部５０間の折れ線Ｃ５０は、蓋部４０における背面部１８と反対側の辺部（折れ線Ｃ５０を除く辺部）４０ａと折れ線Ｃ４０と直角方向に若干ずれた位置に形成され、折れ線Ｃ５０は辺部４０ａよりも折れ線Ｃ４０側にずれて形成されている。これにより、折れ線Ｃ５０の両側の端部と辺部４０ａ間には、切込みが形成されている。つまり、差込み片部５０が被差込み部Ｋ１２に差し込まれて、蓋部４０が閉状態となっている場合において、蓋部４０の辺部４０ａが折れ線Ｃ３２と前後方向に一致するために、折れ線Ｃ５０が辺部４０ａとずれて形成されている。
【００３９】
また、開口部４６の折れ線Ｃ４０側の端部（辺部４６ｂの折れ線Ｃ４０側の端部）と蓋部４０の辺部４０ａ間の折れ線Ｃ４０と直角方向の長さＬ４１は、フラップ部３２の折れ線Ｃ３２と辺部３２ｃ間の折れ線Ｃ３２と直角方向の長さＬ３２よりも短く形成されていて、これにより、蓋部４０の閉状態において、開口部４６の全体がフラップ部３２により内側（下側としてもよい）からカバーされた（「塞がれた」としてもよい）状態となっている。これにより、蓋部４０の閉状態において、開口部４６から異物が包装箱５内に入り込むことがなく、また、被収納物が開口部４６から包装箱５の外部に出ることがない。
【００４０】
なお、摘み片４４は、蓋部４０の左右方向における中央位置に形成されていて、さらに、差込み片部５０は、蓋部４０の左右方向における中央位置に形成されていて、蓋部４０と差込み片部５０とは、蓋部４０と差込み片部５０を展開した状態において、左右線対称に形成されている。つまり、切目線Ｋ４１の折れ線Ｃ５０側の端部の左右方向の位置と蓋部４０の辺部４０ｂの左右方向の位置の間の左右方向における長さと、切目線Ｋ４２の折れ線Ｃ５０側の端部の左右方向の位置と蓋部４０の辺部４０ｃの左右方向の位置の間の左右方向における長さとは同一に形成され、また、差込み片部５０の右側面側の端部（辺部４０ｂ側の端部）の左右方向の位置と蓋部４０の辺部４０ｂの左右方向の位置の間の左右方向における長さと差込み片部５０の左側面側の端部（辺部４０ｃ側の端部）の左右方向の位置と蓋部４０の辺部４０ｃの左右方向の位置の間の左右方向における長さとは同一に形成されている。
【００４１】
また、蓋部４０の左右方向の長さは、背面部１８の左右方向の長さと同一に形成され、蓋部４０の基端から先端までの長さ（折れ線Ｃ４０から辺部４０ａまでの長さ）は、包装箱５の組立て状態における正面部１２と背面部１８間の長さ（例えば、左側面部１６の横方向の長さ）と同一に形成されている。
【００４２】
また、差込み片部５０は、蓋部４０の背面部１８とは反対側の辺部から折れ線（蓋部・差込み片部間折れ線）Ｃ５０を介して連設され、略台形形状に形成され、先端にいくほど左右方向の幅が狭くなるように形成されている。また、差込み片部５０の両側の基端位置には、蓋部４０の辺部との間に略三角形状の切欠部が形成されている。差込み片部５０における該略三角形状の切欠部を形成する辺部は、折れ線Ｃ５０の両側の端部と辺部４０ａ間の該切込みと連設されている。差込み片部５０の左右方向の長さ（最大長さ）Ｌ５０は、切込みＫ１２’の左右方向の長さと略同一に（厳密には、若干短く）形成されていて、蓋部４０の左右方向の長さＬ４０や背面部１８の左右方向の長さＬ１８よりも短く形成されている。
【００４３】
次に、包装箱５の使用方法について説明する。包装箱５に被収納物を収納する際には、図１に示すように、蓋部４０を包装箱本体７に対して開けた状態として、被収納物を収納する。なお、フラップ部３２、３４、３６が設けられているので、被収納物の収納に際しては、フラップ部３２、３４、３６をスリーブ状部１０に対して起立した状態とする。
【００４４】
被収納物を収納したら、フラップ部３２、３４、３６をスリーブ状部１０に対して内側に折曲した状態で、蓋部４０を包装箱本体７に向けて回動させて、差込み片部５０を被差込み部Ｋ１２に差し込んで、図２に示すように、蓋部４０を閉状態とする。
【００４５】
蓋部４０の閉状態から開状態にするには、開口部４６に指を配置し、摘み片４４の背面側の辺部４４ａに指をひっかけて摘み片４４を折れ線Ｃ５０を中心に蓋部本体４２の外側に回動させる。すると、切目線Ｋ４１、Ｋ４２が破断して、摘み片４４が蓋部本体４２に対して外側に回動した状態（起立した状態としてもよい）となる（図４参照）。なお、開口部４６が設けられているので、摘み片４４と蓋部本体４２の間に指や爪を挟んでしまうおそれがない。
【００４６】
その後、摘み片４４を上方に引き上げることにより、差込み片部５０が被差込み部Ｋ１２から引き出されて、図５に示す状態となるので、蓋部本体４２を背面部１８に対して外側に回動させることにより、蓋部４０が開状態となる（図１参照）。
【００４７】
以上のように、本実施例の包装箱５においては、蓋部４０に開口部４６が設けられているので、摘み片４４の辺部４４ａに指をひっかけて摘み片４４を蓋部本体４２に対して容易に回動した状態とすることができ、また、差込み片部５０の左右方向の長さＬ５０は、蓋部４０の左右方向の長さＬ４０や背面部１８の左右方向の長さＬ１８よりも短く形成されているので、差込み片部５０を被差込み部Ｋ１２から引き出す際に、差込み片部５０が左右方向に対して傾斜しにくく左右バランスよく引き上げることができ、蓋部４０の開動作を容易に行なうことができる。
【実施例２】
【００４８】
本考案の実施例２に基づく包装箱１０５は、図６〜図８に示すように構成され、スリーブ状部（側面部）１１０と、底面部１２０と、蓋部１３２と、フラップ部１３４、１３６と、蓋部１４０と、差込み片部１５０とを有している。包装箱１０５において、蓋部１４０と差込み片部１５０以外の構成が、包装箱本体１０７となる。
【００４９】
ここで、スリーブ状部１１０は、正面部１１２と、正面部１１２の右側面側の辺部から折れ線を介して連設された右側面部１１４と、正面部１１２の左側面側の辺部から折れ線を介して連設された左側面部１１６と、左側面部１１６の背面側の辺部から折れ線を介して連設された背面部１１８と、背面部１１８の右側面側の辺部から折れ線を介して連設された糊代部１１９とを有している。
【００５０】
ここで、スリーブ状部１１０の構成は、実施例１の包装箱５のスリーブ状部１０と略同様の構成であり、正面部１１２は、突状部１２−２が設けられてない点以外は正面部１２と同様の構成であり（つまり、正面部１１２は、方形状（具体的には、長方形状）を呈している）、右側面部１１４は右側面部１４と同様の構成であり、左側面部１１６は左側面部１６と同様の構成であり、背面部１１８は背面部１８と同様の構成であり、糊代部１１９は糊代部１９と同様の構成であるので、詳しい説明を省略する。なお、包装箱本体１０７を組み立てた状態においては、正面部１１２と背面部１１８とが互いに平行で、右側面部１１４と左側面部１１６とが互いに平行で、正面部１１２と右側面部１１４と左側面部１１６と背面部１１８における互いに隣接する各部は直角となり、スリーブ状部１１０は、底面部１２０に対して直角（略直角としてもよい）となる。
【００５１】
また、底面部１２０は、片部１２２と、片部１２４と、片部１２６と、片部１２８とを有している。
【００５２】
ここで、底面部１２０の構成は、実施例１の包装箱５の底面部２０と同様の構成であり、片部１２２は片部２２と同様の構成であり、片部１２４は片部２４と同様の構成であり、片部１２６は片部２６と同様の構成であり、片部１２８は片部２８と同様の構成であるので、詳しい説明を省略する。
【００５３】
また、蓋部１３２は、正面部１１２の上辺から折れ線Ｃ１３２を介して連設され、略方形状（具体的には、略長方形状）を呈し、蓋部１３２の左右両側の辺部が、正面部１１２から先端側に向けての途中位置で内側に屈曲した形状を呈している。すなわち、蓋部１３２の左右両側の辺部においては、正面部１１２側の端部から該途中位置までの辺部１３２ａ−１、１３２ｂ−１は折れ線Ｃ１３２に対して直角をなす直線状であり、該途中位置から先端側の辺部１３２ａ−２、１３２ｂ−２は、辺部１３２ａ−１、１３２ｂ−１に対して内側に屈曲した直線状となっている。蓋部１３２の左右方向の長さ（最大長さ）は、正面部１１２の左右方向の長さと同一となっている。
【００５４】
また、蓋部１３２には、被差込み部Ｋ１３２が設けられ、被差込み部Ｋ１３２は、横長の開口部Ｋ１３３と、開口部Ｋ１３３の右側面側の端部から連設された切込みＫ１３４と、開口部Ｋ１３３の左側面側の端部から連設された切込みＫ１３５とを有している。
【００５５】
開口部Ｋ１３３は、横長の略台形形状を呈し、辺部Ｋ１３３ａと辺部Ｋ１３３ｂと辺部Ｋ１３３ｃと辺部Ｋ１３３ｄにより囲まれた形状を呈している。辺部Ｋ１３３ａ、Ｋ１３３ｂ、Ｋ１３３ｃ、Ｋ１３３ｄはいずれも直線状を呈し、辺部Ｋ１３３ａは辺部Ｋ１３３ｂよりも若干短く形成され、辺部Ｋ１３３ｃ、Ｋ１３３ｄは、辺部Ｋ１３３ｂとの角度（内側の角度）が鋭角となるように、辺部Ｋ１３３ｂに対して傾斜して形成されている。辺部Ｋ１３３ａと辺部Ｋ１３３ｂとは互いに平行となっている。また、切込みＫ１３４は、開口部Ｋ１３３の右側面側の端部から連設され、辺部Ｋ１３３ｂの延長線上に形成されている。また、切込みＫ１３５は、開口部Ｋ１３３の左側面側の端部から連設され、辺部Ｋ１３３ｂの延長線上に形成されている。なお、蓋部１３２の左右両側の辺部の屈曲位置は、折れ線Ｃ１３２と直角の方向において、被差込み部Ｋ１３２の位置であり、具体的には、辺部Ｋ１３３ｂの位置に対応している。また、被差込み部Ｋ１３２の形成位置は、折れ線Ｃ１３２と直角の方向においては、蓋部１３２と蓋部１４０とを重ねた状態において、差込み片部１５０の基端部の位置であり、差込み片部１５０を蓋部１４０に対して直角に折曲した状態で、差込み片部１５０を差し込むことができる位置となっている。具体的には、被差込み部Ｋ１３２は、折れ線Ｃ１３２と辺部Ｋ１３３ｂ間の長さＬ１３２と蓋部１４０の折れ線Ｃ１４０と辺部１４０ａ間の長さＬ１４０を加算した値が、包装箱１０５を組み立てた状態において、正面部１１２と背面部１１８間の長さ（例えば、左側面部１１６の横方向の長さ）と同一となる位置に形成されている。また、蓋部１３２の折れ線Ｃ１３２と辺部１３２ｃ間の長さＬ１３３は、正面部１１２と背面部１１８間の長さ（例えば、左側面部１１６の横方向の長さ）や蓋部１４０の長さＬ１４０は、正面部１１２と背面部１１８間の長さ（例えば、左側面部１１６の横方向の長さや右側面部１１４の横方向の長さ）よりも短く形成されている。また、被差込み部Ｋ１３２の左右方向の長さ（切込みＫ１３４の右端から切込みＫ１３５の左端までの長さ）は、正面部１１２の左右方向の長さよりも短く形成されている。
【００５６】
また、フラップ部１３４は、右側面部１１４の上辺から折れ線Ｃ３４を介して連設され、略方形状（具体的には、略長方形状）を呈し、長方形状における正面側の角部にアールを形成した形状を呈している。
【００５７】
また、フラップ部１３６は、左側面部１１６の上辺から折れ線Ｃ３６を介して連設され、略方形状（具体的には、略長方形状）を呈し、長方形状における正面側の角部にアールを形成した形状を呈している。
【００５８】
また、蓋部１４０は、背面部１１８の上辺から折れ線Ｃ１４０を介して連設され、全体に方形状（具体的には、長方形状）を呈している。
【００５９】
蓋部１４０は、背面部１１８の上辺から先端までの長さが蓋部４０よりも短く形成され、また、蓋部１４０と差込み片部１５０間の折れ線Ｃ１５０が蓋部１４０の辺部１４０ａの延長線上に形成されている点以外は、蓋部４０と同様の構成となっている。
【００６０】
すなわち、蓋部１４０は、蓋部本体１４２と、摘み片１４４とを有している。蓋部１４０には、蓋部１４０と差込み片部１５０間の折れ線Ｃ１５０の位置から形成された切目線Ｋ１４１、Ｋ１４２と、切目線Ｋ１４１と切目線Ｋ１４２間に形成された開口部１４６とが形成され、折れ線Ｃ１５０と切目線Ｋ１４１、Ｋ１４２と開口部１４６とで囲まれた領域が摘み片１４４となり、蓋部１４０における摘み片１４４以外の領域が蓋部本体１４２となる。ここで、切目線Ｋ１４１、Ｋ１４２はミシン目状に形成され、切目線Ｋ１４１、Ｋ１４２はともに折れ線Ｃ１５０に対して傾斜した直線状（略直線状としてもよい）に形成され、切目線Ｋ１４１は切目線Ｋ１４２側に傾斜し、切目線Ｋ１４２は切目線Ｋ１４１側に傾斜して形成されている。つまり、切目線Ｋ１４１と切目線Ｋ１４２とは、折れ線Ｃ１５０から離れるに従い、互いの距離が短くなるように形成されている。また、切目線Ｋ１４１、Ｋ１４２の開口部１４６側の端部は、開口部１４６の辺部１４６ａの両側の端部となだらかにつながるように、略円弧状に形成されている。
【００６１】
また、開口部１４６は、切目線Ｋ１４１の端部（折れ線Ｃ１５０側の端部と反対側の端部）と切目線Ｋ１４２の端部（折れ線Ｃ１５０側の端部と反対側の端部）間に形成され、略レンズ状の形状を呈している。つまり、開口部１４６は、円弧状の辺部１４６ａと、辺部１４６ａと線対称（左右方向の中心線を介して線対称）に形成された円弧状の辺部１４６ｂとを有した形状を呈している。この開口部１４６の大きさは、摘み片１４４における開口部１４６の辺部１４６ａの位置に指をひっかけることができる大きさに形成されている。開口部１４６の辺部１４６ａは、摘み片１４４の背面側の辺部１４４ａと一致する。
【００６２】
なお、蓋部１４０と差込み片部１５０間の折れ線Ｃ１５０は、実施例１の場合と異なり、蓋部１４０の辺部１４０ａの延長線上に形成されている。つまり、実施例１では、蓋部４０と差込み片部５０間の折れ線Ｃ５０は、蓋部４０における背面部１８と反対側の辺部（折れ線Ｃ５０を除く辺部）４０ａと折れ線Ｃ４０と直角方向に若干ずれた位置に形成され、折れ線Ｃ５０は辺部４０ａよりも折れ線Ｃ４０側にずれて形成されているが、本実施例では、そのような必要がないため、折れ線Ｃ１５０は、辺部１４０ａの延長線上に形成されている。
【００６３】
また、開口部１４６の折れ線Ｃ１４０側の端部（辺部１４６ｂの折れ線Ｃ１４０側の端部）と蓋部１４０の辺部１４０ａ間の折れ線Ｃ１４０と直角方向の長さＬ１４１は、蓋部１３２の被差込み部Ｋ１３２（具体的には、辺部Ｋ１３３ｂ）と辺部１３２ｃ間の折れ線Ｃ１３２と直角方向の長さＬ１３２よりも短く形成されていて、これにより、蓋部１４０の閉状態において、開口部１４６の全体が蓋部１３２により下側からカバーされた（「塞がれた」としてもよい）状態となっている。これにより、蓋部１４０の閉状態において、開口部１４６から異物が包装箱１０５内に入り込むことがなく、また、被収納物が開口部１４６から包装箱１０５の外部に出ることがない。
【００６４】
なお、実施例１の場合と同様に、摘み片１４４は、蓋部１４０の左右方向における中央位置に形成されていて、さらに、差込み片部１５０は、蓋部１４０の左右方向における中央位置に形成されていて、蓋部１４０と差込み片部１５０とは、蓋部１４０と差込み片部１５０を展開した状態において、左右線対称に形成されている。
【００６５】
また、蓋部１４０の左右方向の長さは、背面部１１８の左右方向の長さと同一に形成されている。
【００６６】
また、差込み片部１５０は、蓋部１４０の背面部１１８とは反対側の辺部から折れ線（蓋部・差込み片部間折れ線）Ｃ１５０を介して連設され、略台形形状に形成され、先端にいくほど左右方向の幅が狭くなるように形成されている。また、差込み片部１５０の両側の基端位置には、蓋部１４０の辺部との間に略三角形状の切欠部が形成されている。差込み片部１５０の左右方向の長さ（最大長さ）Ｌ１５０は、被差込み部Ｋ１３２の左右方向の長さ（切込みＫ１３４の右側面側の端部から切込みＫ１３５の左側面側の端部までの長さ）と略同一に（具体的には、被差込み部Ｋ１３２の左右方向の長さよりも若干長く）形成されていて、蓋部１４０の左右方向の長さＬ１４０や背面部１１８の左右方向の長さＬ１１８よりも短く形成されている。
【００６７】
次に、包装箱１０５の使用方法について説明する。包装箱１０５に被収納物を収納する際には、図６に示すように、蓋部１４０を包装箱本体１０７に対して開けた状態として、被収納物を収納する。なお、蓋部１３２、フラップ部１３４、１３６が設けられているので、被収納物の収納に際しては、蓋部１３２、フラップ部１３４、１３６をスリーブ状部１１０に対して起立した状態とする。
【００６８】
被収納物を収納したら、蓋部１３２、フラップ部１３４、１３６をスリーブ状部１１０に対して内側に折曲した状態で、蓋部１４０を包装箱本体１０７に向けて回動させて、差込み片部１５０を被差込み部Ｋ１２に差し込んで、図７に示すように、蓋部１４０を閉状態とする。
【００６９】
蓋部１４０の閉状態から開状態にする場合の使用方法は、実施例１の場合と略同様であり、開口部１４６に指を配置し、摘み片１４４の背面側の辺部１４４ａに指をひっかけて摘み片１４４を折れ線Ｃ１５０を中心に蓋部本体１４２の外側に回動させる。すると、切目線Ｋ１４１、Ｋ１４２が破断して、摘み片１４４が蓋部本体１４２に対して外側に起立した状態となる（図９参照）。なお、開口部１４６が設けられているので、摘み片１４４と蓋部本体１４２の間に指や爪を挟んでしまうおそれがない。
【００７０】
その後、摘み片１４４を上方に引っ張ることにより、差込み片部１５０が被差込み部Ｋ１３２から引き出されて、図１０に示す状態となるので、蓋部本体１４２を背面部１１８に対して外側に回動させることにより、蓋部１４０が開状態となる（図６参照）。
【００７１】
以上のように、本実施例の包装箱１０５においては、蓋部１４０に開口部１４６が設けられているので、摘み片１４４の辺部１４４ａに指をひっかけて摘み片１４４を蓋部本体１４２に対して容易に回動した状態とすることができ、また、差込み片部１５０の左右方向の長さＬ１５０は、蓋部１４０の左右方向の長さＬ１４０や背面部１１８の左右方向の長さＬ１１８よりも短く形成されているので、差込み片部１５０を被差込み部Ｋ１３２から引き出す際に、差込み片部１５０が左右方向に対して傾斜しにくく左右バランスよく引き上げることができ、蓋部１４０の開動作を容易に行なうことができる。
【実施例３】
【００７２】
本考案の実施例３に基づく包装箱２０５は、図１１〜図１３に示すように構成され、スリーブ状部（側面部）２１０と、底面部２２０と、フラップ部２３４、２３６と、蓋部２４０と、差込み片部２５０とを有している。包装箱２０５において、蓋部２４０と差込み片部２５０以外の構成が、包装箱本体２０７となる。
【００７３】
ここで、スリーブ状部２１０は、正面部２１２と、正面部２１２の右側面側の辺部から折れ線を介して連設された右側面部２１４と、正面部２１２の左側面側の辺部から折れ線を介して連設された左側面部２１６と、左側面部２１６の背面側の辺部から折れ線を介して連設された背面部２１８と、背面部２１８の右側面側の辺部から折れ線を介して連設された糊代部２１９とを有している。
【００７４】
ここで、スリーブ状部２１０の構成は、実施例２の包装箱１０５のスリーブ状部１１０と略同様の構成であり、正面部２１２は、被差込み部Ｋ２１２が設けられている点以外は正面部１１２と同様の構成であり、右側面部２１４は右側面部１１４と同様の構成であり、左側面部２１６は左側面部１１６と同様の構成であり、背面部２１８は背面部１１８と同様の構成であり、糊代部２１９は糊代部１１９と同様の構成であるので、詳しい説明を省略する。包装箱本体２０７を組み立てた状態においては、正面部２１２と背面部２１８とが互いに平行で、右側面部２１４と左側面部２１６とが互いに平行で、正面部２１２と右側面部２１４と左側面部２１６と背面部２１８における互いに隣接する各部は直角となり、スリーブ状部２１０は、底面部２２０に対して直角（略直角としてもよい）となる。
【００７５】
正面部２１２に設けられた被差込み部Ｋ２１２は、切込みＫ２１２ａと、切込みＫ２１２ｂと、切込みＫ２１２ｃと、切込みＫ２１２ｄとを有し、切込みＫ２１２ａ〜２１２ｄはいずれも直線状の切込みとなっている。
【００７６】
ここで、切込みＫ２１２ａは、左右方向に形成され、正面部２１２の上辺や下辺と平行に形成されている。切込みＫ２１２ａの上下方向における形成位置は、切込みＫ２１２ａと正面部２１２の上辺間の長さＬ２１３が、蓋部２４０の蓋部本体２４２における延設領域２４２−２の折れ線Ｃ２４２から辺部２４０ａまでの長さＬ２４２と略同一に（具体的には、長さＬ２４２よりも若干短く）形成されている。また、切込みＫ２１２ａの左右方向における形成位置は、正面部２１２の左右方向における中央位置に設けられ、切込みＫ２１２ａの右側面側の端部と正面部２１２の右側面側の辺部間の長さと、切込みＫ２１２ａの左側面側の端部と正面部２１２の左側面側の辺部間の長さは同一に形成されている。切込みＫ２１２ａの左右方向の長さ（つまり、切込みＫ２１２の左右方向の長さ）ＬＫ２１２は、正面部２１２の左右方向の長さＬ２１２よりも短く形成されている。
【００７７】
また、切込みＫ２１２ｂ〜切込みＫ２１２ｄは、切込みＫ２１２ａから連設され、切込みＫ２１２ａから上方に向けて切込みＫ２１２ａに対して直角方向に形成されており、切込みＫ２１２ｂは、切込みＫ２１２ａの右側面側の端部（具体的には、右側面側の端部よりも若干左側面側の位置）に形成され、切込みＫ２１２ｄは、切込みＫ２１２ａの左側面側の端部（具体的には、左側面側の端部よりも若干右側面側の位置）に形成され、切込みＫ２１２ｃは、切込みＫ２１２ｂと切込みＫ２１２ｄの間の位置で、切込みＫ２１２ｂ及び切込みＫ２１２ｄと等距離の位置に形成されている。切込みＫ２１２ｂと切込みＫ２１２ｃと切込みＫ２１２ｄとは、互いに平行に形成されている。切込みＫ２１２ｂと切込みＫ２１２ｃと切込みＫ２１２ｄとは、ともに同じ長さに形成され、切込みＫ２１２ｂ、Ｋ２１２ｃ、Ｋ２１２ｄの上端は、切込みＫ２１２ａから正面部２１２の上辺までの途中位置となっている。すなわち、切込みＫ２１２ｂ、Ｋ２１２ｃ、Ｋ２１２ｄの長さは、長さＬ２１３よりも短く形成され、長さＬ２１３の略１／３の長さとなっている。
【００７８】
また、底面部２２０は、片部２２２と、片部２２４と、片部２２６と、片部２２８とを有している。
【００７９】
ここで、底面部２２０の構成は、実施例１の包装箱５の底面部２０と同様の構成であり、片部２２２は片部２２と同様の構成であり、片部２２４は片部２４と同様の構成であり、片部２２６は片部２６と同様の構成であり、片部２２８は片部２８と同様の構成であるので、詳しい説明を省略する。
【００８０】
また、蓋部２４０は、背面部２１８の上辺から折れ線Ｃ２４０を介して連設され、蓋部本体２４２と、摘み片２４４とを有している。
【００８１】
ここで、蓋部本体２４２は、蓋部２４０における摘み片２４４以外の領域であり、蓋部本体２４２は、背面部２１８から折れ線Ｃ２４０を介して連設された本体領域２４２−１と、本体領域２４２−１の背面部２１８側とは反対側の辺部から折れ線（蓋部折曲げ用折れ線）Ｃ２４２を介して連設された延設領域２４２−２とを有している。ここで、本体領域２４２−１は、方形状（具体的には、長方形状）を呈し、左右方向の長さは、背面部２１８の左右方向の長さと同一に形成され、本体領域２４２−１の基端から先端までの長さ（折れ線Ｃ２４０から折れ線Ｃ２４２までの長さ）Ｌ２４３は、包装箱２０５の組立て状態における正面部２１２と背面部２１８間の長さ（例えば、左側面部２１６の横方向の長さや右側面部２１４の横方向の長さ）と略同一に形成され、具体的には、延設領域２４２−２が設けられている関係から、本体領域２４２−１の基端から先端までの長さは、左側面部２１６の横方向の長さよりも若干長く形成されている。また、延設領域２４２−２は、本体領域２４２−１の先端側の辺部から折れ線Ｃ２４２を介して連設され、延設領域２４２−２の先端側の両側の角部が直線状に面取りされている。また、蓋部２４０における基端から先端までの長さ（折れ線Ｃ２４０から辺部２４０ａまでの長さ）Ｌ２４４は、包装箱２０５の組立て状態における正面部２１２と背面部２１８間の長さ（例えば、左側面部２１６の横方向の長さや右側面部２１４の横方向の長さ）よりも長く形成されている。
【００８２】
摘み片２４４は、延設領域２４２−２に形成され、摘み片２４４の構成は、実施例１の摘み片４４や実施例２の摘み片１４４と同様である。すなわち、延設領域２４２−２には、蓋部２４０と差込み片部２５０間の折れ線Ｃ２５０の位置から形成された切目線Ｋ２４１、Ｋ２４２と、切目線Ｋ２４１と切目線Ｋ２４２間に形成された開口部２４６とが形成され、折れ線Ｃ２５０と切目線Ｋ２４１、Ｋ２４２と開口部２４６とで囲まれた領域が摘み片２４４となる。
【００８３】
ここで、切目線Ｋ２４１、Ｋ２４２はミシン目状に形成され、切目線Ｋ２４１、Ｋ２４２はともに折れ線Ｃ２５０に対して傾斜した直線状（略直線状としてもよい）に形成され、切目線Ｋ２４１は切目線Ｋ２４２側に傾斜し、切目線Ｋ２４２は切目線Ｋ２４１側に傾斜して形成されている。つまり、切目線Ｋ２４１と切目線Ｋ２４２とは、折れ線Ｃ２５０から離れるに従い、互いの距離が短くなるように形成されている。また、切目線Ｋ２４１、Ｋ２４２の開口部２４６側の端部は、開口部２４６の辺部２４６ａの両側の端部となだらかにつながるように、略円弧状に形成されている。
【００８４】
また、開口部２４６は、切目線Ｋ２４１の端部（折れ線Ｃ２５０側の端部と反対側の端部）と切目線Ｋ２４２の端部（折れ線Ｃ２５０側の端部と反対側の端部）間に形成され、略レンズ状の形状を呈している。つまり、開口部２４６は、円弧状の辺部２４６ａと、辺部２４６ａと線対称（左右方向の中心線を介して線対称）に形成された円弧状の辺部２４６ｂとを有した形状を呈している。この開口部２４６の大きさは、摘み片２４４における開口部２４６の辺部２４６ａの位置に指をひっかけることができる大きさに形成されている。開口部２４６の辺部２４６ａは、摘み片２４４の背面側の辺部２４４ａと一致する。
【００８５】
なお、蓋部２４０と差込み片部２５０間の折れ線Ｃ２５０は、実施例２の場合と同様に、蓋部２４０の辺部２４０ａの延長線上に形成されている。つまり、実施例１では、蓋部４０と差込み片部５０間の折れ線Ｃ５０は、蓋部４０における背面部１８と反対側の辺部（折れ線Ｃ５０を除く辺部）４０ａと折れ線Ｃ４０と直角方向に若干ずれた位置に形成され、折れ線Ｃ５０は辺部４０ａよりも折れ線Ｃ４０側にずれて形成されているが、本実施例では、そのような必要がないため、折れ線Ｃ２５０は、辺部２４０ａの延長線上に形成されている。
【００８６】
また、開口部２４６の折れ線Ｃ２４２側の端部（辺部２４６ｂの折れ線Ｃ２４２側の端部）と蓋部２４０の辺部２４０ａ間の折れ線Ｃ２４２と直角方向の長さＬ２４１は、長さＬ２４２よりも短く形成されていて、これにより、差込み片部２５０を被差込み部Ｋ２１２に差し込んで蓋部２４０を閉状態とした場合には、開口部２４６の全体が正面部２１２により内側からカバーされた（「塞がれた」としてもよい）状態となっている。これにより、蓋部２４０の閉状態において、開口部２４６から異物が包装箱２０５内に入り込むことがなく、また、被収納物が開口部２４６から包装箱２０５の外部に出ることがない。
【００８７】
なお、実施例１や実施例２の場合と同様に、摘み片２４４は、蓋部２４０の左右方向における中央位置に形成されていて、さらに、差込み片部２５０は、蓋部２４０の左右方向における中央位置に形成されていて、蓋部２４０と差込み片部２５０とは、蓋部２４０と差込み片部２５０を展開した状態において、左右線対称に形成されている。
【００８８】
また、蓋部１４０の左右方向の長さは、背面部１１８の左右方向の長さと同一に形成されている。なお、折れ線Ｃ２４２は、折れ線Ｃ２４０（蓋部２４０と背面部２１８間の折れ線）と開口部２４６間の位置に設けられ、折れ線Ｃ２４０と平行に設けられている。
【００８９】
また、差込み片部２５０は、蓋部２４０の背面部１１８とは反対側の辺部から折れ線（蓋部・差込み片部間折れ線）Ｃ２５０を介して連設され、略台形形状に形成され、先端にいくほど左右方向の幅が狭くなるように形成されている。また、差込み片部２５０の両側の基端位置には、蓋部２４０の辺部との間に略三角形状の切欠部が形成されている。差込み片部２５０の左右方向の長さ（最大長さ）Ｌ２５０は、被差込み部Ｋ２１２の左右方向の長さ（切込みＫ２１２ａの右側面側の端部から左側面側の端部までの長さ）と同一（略同一としてもよい）に形成されていて、蓋部２４０の左右方向の長さＬ２４０や背面部２１８の左右方向の長さＬ２１８よりも短く形成されている。
【００９０】
次に、包装箱２０５の使用方法について説明する。包装箱２０５に被収納物を収納する際には、図１１に示すように、蓋部２４０を包装箱本体２０７に対して開けた状態として、被収納物を収納する。なお、フラップ部２３４、２３６が設けられているので、被収納物の収納に際しては、フラップ部２３４、２３６をスリーブ状部２１０に対して起立した状態とする。
【００９１】
被収納物を収納したら、フラップ部２３４、２３６をスリーブ状部２１０に対して内側に折曲した状態で、蓋部２４０を包装箱本体２０７に向けて回動させて、蓋部２４０の本体領域２４２−１をフラップ部２３４、２３６の上面に配置し、さらに、蓋部２４０の延設領域２４２−２を本体領域２４２−１に対して下方に回動させて、差込み片部２５０を被差込み部Ｋ２１２に差し込んで、図１２に示すように、蓋部２４０を閉状態とする。蓋部２４０の閉状態では、延設領域２４２−２が正面部２１２の正面側に配置される。なお、被差込み部Ｋ２１２には、切込みＫ２１２ｂ〜Ｋ２１２ｄが設けられていて、切込みＫ２１２ｂと切込みＫ２１２ｃ間の領域や切込みＫ２１２ｃと切込みＫ２１２ｄ間の領域が撓むため、差込み片部２５０の被差込み部Ｋ２１２への差込みが容易である。
【００９２】
蓋部２４０の閉状態から開状態にする場合の使用方法は、開口部２４６に指を配置し、摘み片２４４の上面側の辺部２４４ａに指をひっかけて摘み片２４４を折れ線Ｃ２５０を中心に延設領域２４２−２の外側に回動させる。すると、切目線Ｋ２４１、Ｋ２４２が破断して、摘み片２４４が延設領域２４２−２に対して外側に起立した状態となる（図１４参照）。なお、開口部２４６が設けられているので、摘み片２４４と蓋部本体２４２の間に指や爪を挟んでしまうおそれがない。
【００９３】
その後、摘み片２４４を上方に引っ張ることにより、差込み片部２５０が被差込み部Ｋ２１２から引き出されて、図１５に示す状態となるので、蓋部本体２４２を背面部２１８に対して外側に回動させることにより、蓋部２４０が開状態となる（図１１参照）。
【００９４】
以上のように、本実施例の包装箱２０５においては、蓋部２４０に開口部２４６が設けられているので、摘み片２４４の辺部２４４ａに指をひっかけて摘み片２４４を蓋部本体２４２（特に、延設領域２４２−２）に対して容易に回動した状態とすることができ、また、差込み片部２５０の左右方向の長さＬ２５０は、蓋部２４０の左右方向の長さＬ２４０や背面部２１８の左右方向の長さＬ２１８よりも短く形成されているので、差込み片部２５０を被差込み部Ｋ２１２から引き出す際に、差込み片部２５０が左右方向に対して傾斜しにくく左右バランスよく引き上げることができ、蓋部２４０の開動作を容易に行なうことができる。
【００９５】
なお、上記の各実施例において、底面部はアメリカンロック（地獄底）の構成であるとしたが、他の構成でもよく、例えば、ワンタッチ底の構成としてもよい。
【００９６】
また、上記各実施例においては、スリーブ状部１０、１１０、２１０が、背面部１８、１１８、１２８、左側面部１６、１１６、１２６、正面部１２、１１２、２１２、右側面部１４、１１４、２１４の順に折れ線を介して連設され、右側面部１４、１１４、２１４と背面部１８、１１８、２１８間に糊代部１９、１１９、２１９が設けられているが、これには限られず、糊代部の位置は、スリーブ状部を構成する互いに隣接する部材間の任意の位置であればよい。
【００９７】
また、スリーブ状部１０、１１０、２１０は、４つの部材が折れ線を介して順に連設された構成であるとしたが、これには限られず、方形状の底面部の各辺から折れ線を介して連設され、スリーブ状部を構成する各部における互いに隣接する部材は糊代部や折込み片部等により接続することにより全体としてスリーブ状を形成するものとしてもよい。
【００９８】
その場合には、スリーブ状部を構成する各部を方形状としてもよいが、スリーブ状部を構成する各部は方形状ではなく、台形形状（上方にいくに従い横幅が大きくなる台形形状（具体的には、上方にいくに従い横幅が大きくなる等脚台形形状である逆等脚台形形状）としてもよく、スリーブ状部を構成する各部（すなわち、正面部、右側面部、左側面部、背面部）が逆等脚台形形状である場合には、該各部は、底面部に対して鈍角をなすことになる。つまり、スリーブ状部における正面部と右側面部と左側面部と背面部とは、その両側の側辺間の長さ（つまり、隣接する部材との折れ線（一対の折れ線）間の長さ）が上方にいくほど大きくなるように形成され、該両側の側辺が逆テーパ状となるようにし、正面部と右側面部と左側面部と背面部とが底面部に対して鈍角をなすようにしてもよい。
【符号の説明】
【００９９】
５、１０５、２０５  包装箱
１０、１１０、２１０  スリーブ状部
２０、１２０、２２０  底面部
１２、１１２、２１２  正面部
１４、１１４、２１４  右側面部
１６、１１６、２１６  左側面部
１８、１１８、２１８  背面部
１９、１１９、２１９  糊代部
３２、３４、３６、１３４、１３６、２３４、２３６  フラップ部
４０、１４０、２４０  蓋部
４４、１４４、２４４  摘み片
４６、１４６、２４６  開口部
５０、１５０、２５０  差込み片部
Ｋ４１、Ｋ４２、Ｋ１４１、Ｋ１４２、Ｋ２４１、Ｋ２４２  切目線
【図１】
0003199140.tif 000003
【図２】
0003199140.tif 000004
【図３】
0003199140.tif 000005
【図４】
0003199140.tif 000006
【図５】
0003199140.tif 000007
【図６】
0003199140.tif 000008
【図７】
0003199140.tif 000009
【図８】
0003199140.tif 000010
【図９】
0003199140.tif 000011
【図１０】
0003199140.tif 000012
【図１１】
0003199140.tif 000013
【図１２】
0003199140.tif 000014
【図１３】
0003199140.tif 000015
【図１４】
0003199140.tif 000016
【図１５】
0003199140.tif 000017